(57)【特許請求の範囲】
【請求項１】
モータの駆動周波数制御が可能な圧縮機及び室外熱交換器を有する室外機と、室内熱交換器及び送風ファンを有する室内機とを備え、ドライ運転、又は冷房運転を可能にした空気調和装置において、ドライ運転中、又は冷房運転中の前記室内機の吹出口に露が付き得ない前記室内熱交換器の目標温度を演算する演算手段と、前記吹出口に露が付きやすい所定の条件の場合に、前記目標温度を補正する補正手段と、前記室内熱交換器の温度が前記目標温度を下回った場合、前記モータの駆動周波数を制御する制御手段とを備えたことを特徴とする空気調和装置。
【請求項２】
モータの駆動周波数制御が可能な圧縮機及び室外熱交換器を有する室外機と、室内熱交換器及び送風ファンを有する室内機とを備え、ドライ運転、又は冷房運転を可能にした空気調和装置において、ドライ運転中、又は冷房運転中の前記室内機の吹出口に露が付き得ない前記室内熱交換器の目標温度を吸い込み空気の露点に基づいて演算する演算手段と、前記吹出口に露が付きやすい所定の条件の場合に、前記目標温度を補正する補正手段と、前記室内熱交換器の温度が前記目標温度を下回った場合、前記モータの駆動周波数を制御する制御手段とを備えたことを特徴とする空気調和装置。
【請求項３】
前記制御手段は、前記室内熱交換器の温度が前記目標温度を下回った場合、前記モータの駆動周波数の上昇を禁止する手段であることを特徴とする請求項１又は２記載の空気調和装置。
【請求項４】
前記制御手段は、前記室内熱交換器の温度が前記目標温度を下回った場合、前記モータの駆動周波数の上昇を禁止し、前記室内熱交換器の温度が前記目標温度よりも低い第一温度を下回った場合、モータの駆動周波数のＨｚダウン制御を行う手段であることを特徴とする請求項１又は２記載の空気調和装置。
【請求項５】
前記制御手段は、前記室内熱交換器の温度が前記目標温度を下回った場合、前記モータの駆動周波数の上昇を禁止し、前記室内熱交換器の温度が前記目標温度よりも低い第一温度を下回った場合、モータの駆動周波数のＨｚダウン制御を行い、前記室内熱交換器の温度が前記目標温度を下回った後に反転上昇する場合、前記目標温度よりも高い第二温度を上回るまで、モータの駆動周波数の上昇を禁止する手段であることを特徴とする請求項１又は２記載の空気調和装置。
【請求項６】
凍結制御中でないこと、しかも室内の湿度が前記吹出口に露が付く可能性のある所定％以上であることを条件に前記制御手段が実行されることを特徴とする請求項１ないし５のいずれか１項記載の空気調和装置。
【請求項７】
前記送風ファンの回転数が前記吹出口に露が付く可能性のある所定回転数以下であることを条件に前記制御手段が実行されることを特徴とする請求項１ないし５のいずれか１項記載の空気調和装置。
【請求項８】
前記吹出口に吹出風向を変更する風向変更羽根を備え、前記吹出口に露が付きやすい所定の条件は、凍結制御中でないこと、室内の湿度が前記吹出口に露が付く可能性のある所定％以上であること、しかも前記風向変更羽根がスイング中又は前記吹出口に露が付く可能性のある所定角度に固定されることを満たす条件であることを特徴とする請求項１ないし５のいずれか１項記載の空気調和装置。
【請求項９】
前記吹出口に吹出風向を変更する風向変更羽根を備え、前記吹出口に露が付きやすい所定の条件が、前記送風ファンの回転数が前記吹出口に露が付く可能性のある所定回転数以下であること、しかも前記風向変更羽根がスイング中又は前記吹出口に露が付く可能性のある所定角度に固定されることを満たす条件であることを特徴とする請求項１ないし５のいずれか１項記載の空気調和装置。
【請求項１０】
前記吹出口に吹出風向を変更する複数の風向変更羽根を備え、前記吹出口に露が付きやすい所定の条件が、各風向変更羽根を所定の組合せで揺動させて気流を制御する気流制御中であることを満たす条件であることを特徴とする請求項１ないし５のいずれか１項記載の空気調和装置。
【請求項１１】
前記送風ファンの回転数が前記吹出口に露が付く可能性のある所定回転数以下であるとき、前記モータの最大駆動周波数を通常より低い値に制限する手段を備えたことを特徴とする請求項１ないし１０のいずれか１項記載の空気調和装置。
【請求項１２】
室内の湿度を検知する室内湿度センサと、この室内湿度センサの検知結果が異常であるか否かを判断する手段と、検知結果が異常であると判断された場合、前記モータの最大駆動周波数を通常より低い値に制限する手段とを備えたことをすることを特徴とする請求項１ないし１１のいずれか１項記載の空気調和装置。
【発明の詳細な説明】
【０００１】
【発明の属する技術分野】
本発明は、室内熱交換器を用いて冷房運転又はドライ運転を行う空気調和装置の露付き防止制御に関する。
【０００２】
【従来の技術】
一般に、モータの駆動周波数制御が可能な圧縮機及び室外熱交換器を有する室外機と、室内熱交換器及び送風ファンを有する室内機とを備えた空気調和装置が知られている。
【０００３】
この種のものでは、上述した室内熱交換器を例えば３つの熱交換部に分割し、２つの熱交換部を蒸発器として機能させながら、残りの１つの熱交換部を再熱器として機能させ、吸気口から吸い込んだ空気を冷却して除湿し、この除湿した空気を再加熱して吹出口から室内に送風する本格ドライ運転を可能にしたものが提案されている。
【０００４】
また、３つの熱交換部を蒸発器として機能させ、吸気口から吸い込んだ空気を冷却して吹出口から室内に送風する冷房運転や、この冷房運転よりも冷房能力の低い弱冷房運転による通常のドライ運転がある。
【０００５】
以下の説明において、冷房運転は、この通常のドライ運転を含むものとし、本格ドライ運転は、単にドライ運転ということにする。
【０００６】
【発明が解決しようとする課題】
しかしながら、上述の冷房運転やドライ運転において、室内熱交換器の温度を低下させるため、室温と室内熱交換器との温度差によって吹出口に露付きを生じる恐れがある。
【０００７】
本発明の目的は、上述の事情を考慮してなされたものであり、吹出口への露付きを防止できる空気調和装置を提供することにある。
【０００８】
【課題を解決するための手段】
請求項１に記載の発明は、モータの駆動周波数制御が可能な圧縮機及び室外熱交換器を有する室外機と、室内熱交換器及び送風ファンを有する室内機とを備え、ドライ運転、又は冷房運転を可能にした空気調和装置において、ドライ運転中、又は冷房運転中の前記室内機の吹出口に露が付き得ない前記室内熱交換器の目標温度を演算する演算手段と、前記吹出口に露が付きやすい所定の条件の場合に、前記目標温度を補正する補正手段と、前記室内熱交換器の温度が前記目標温度を下回った場合、前記モータの駆動周波数を制御する制御手段とを備えたことを特徴とするものである。
【０００９】
請求項２に記載の発明は、モータの駆動周波数制御が可能な圧縮機及び室外熱交換器を有する室外機と、室内熱交換器及び送風ファンを有する室内機とを備え、ドライ運転、又は冷房運転を可能にした空気調和装置において、ドライ運転中、又は冷房運転中の前記室内機の吹出口に露が付き得ない前記室内熱交換器の目標温度を吸い込み空気の露点に基づいて演算する演算手段と、前記吹出口に露が付きやすい所定の条件の場合に、前記目標温度を補正する補正手段と、前記室内熱交換器の温度が前記目標温度を下回った場合、前記モータの駆動周波数を制御する制御手段とを備えたことを特徴とするものである。
【００１０】
請求項３に記載の発明は、請求項１又は２に記載の発明において、前記制御手段は、前記室内熱交換器の温度が前記目標温度を下回った場合、前記モータの駆動周波数の上昇を禁止する手段であることを特徴とするものである。
【００１１】
請求項４に記載の発明は、請求項１又は２記載の発明において、前記制御手段は、前記室内熱交換器の温度が前記目標温度を下回った場合、前記モータの駆動周波数の上昇を禁止し、前記室内熱交換器の温度が前記目標温度よりも低い第一温度を下回った場合、モータの駆動周波数のＨｚダウン制御を行う手段であることを特徴とするものである。
【００１２】
請求項５に記載の発明は、請求項１又は２記載の発明において、前記制御手段は、前記室内熱交換器の温度が前記目標温度を下回った場合、前記モータの駆動周波数の上昇を禁止し、前記室内熱交換器の温度が前記目標温度よりも低い第一温度を下回った場合、モータの駆動周波数のＨｚダウン制御を行い、前記室内熱交換器の温度が前記目標温度を下回った後に反転上昇する場合、前記目標温度よりも高い第二温度を上回るまで、モータの駆動周波数の上昇を禁止する手段であることを特徴とするものである。
【００１３】
請求項６に記載の発明は、請求項１ないし５のいずれか１項記載の発明において、凍結制御中でないこと、しかも室内の湿度が前記吹出口に露が付く可能性のある所定％以上であることを条件に前記制御手段が実行されることを特徴とするものである。
【００１４】
請求項７に記載の発明は、請求項１ないし５のいずれか１項記載の発明において、前記送風ファンの回転数が前記吹出口に露が付く可能性のある所定回転数以下であることを条件に前記制御手段が実行されることを特徴とするものである。
【００１５】
請求項８に記載の発明は、請求項１ないし５のいずれか１項記載の発明において、前記吹出口に吹出風向を変更する風向変更羽根を備え、前記吹出口に露が付きやすい所定の条件は、凍結制御中でないこと、室内の湿度が前記吹出口に露が付く可能性のある所定％以上であること、しかも前記風向変更羽根がスイング中又は前記吹出口に露が付く可能性のある所定角度に固定されることを満たす条件であることを特徴とするものである。
【００１６】
請求項９に記載の発明は、請求項１ないし５のいずれか１項記載の発明において、前記吹出口に吹出風向を変更する風向変更羽根を備え、前記吹出口に露が付きやすい所定の条件が、前記送風ファンの回転数が前記吹出口に露が付く可能性のある所定回転数以下であること、しかも前記風向変更羽根がスイング中又は前記吹出口に露が付く可能性のある所定角度に固定されることを満たす条件であることを特徴とするものである。
【００１７】
請求項１０に記載の発明は、請求項１ないし５のいずれか１項記載の発明において、前記吹出口に吹出風向を変更する複数の風向変更羽根を備え、前記吹出口に露が付きやすい所定の条件が、各風向変更羽根を所定の組合せで揺動させて気流を制御する気流制御中であることを満たす条件であることを特徴とするものである。
【００１８】
請求項１１に記載の発明は、請求項１ないし１０のいずれか１項記載の発明において、前記送風ファンの回転数が前記吹出口に露が付く可能性のある所定回転数以下であるとき、前記モータの最大駆動周波数を通常より低い値に制限する手段を備えたことを特徴とするものである。
【００１９】
請求項１２に記載の発明は、請求項１ないし１１のいずれか１項記載の発明において、室内の湿度を検知する室内湿度センサと、この室内湿度センサの検知結果が異常であるか否かを判断する手段と、検知結果が異常であると判断された場合、前記モータの最大駆動周波数を通常より低い値に制限する手段とを備えたことを特徴とするものである。
【００２１】
【発明の実施の形態】
以下、本発明の一実施形態を添付の図面を参照して説明する。
【００２２】
図１は室内機の断面図である。この室内機１は、例えば、図示を省略したモータの駆動周波数制御が可能な圧縮機及び室外熱交換器等を内蔵する室外機とユニット間配管で接続されて空気調和装置を構成している。
【００２３】
この室内機１のケース２は、前面側の前ケース部２Ａと、この前ケース部２Ａの前部に設けられ、室内の空気の吸気口３を備えた吸込パネル２Ｂと、背面側の後ケース部２ｃとで構成されている。このケース２内には、室内の空気を加熱／冷却／除湿する室内熱交換器４と、室内の空気を吸込パネル２Ｂから吸い込み、室内熱交換器４で加熱／冷却／除湿して再び室内に循環させる送風ファン５と、この送風ファン５により吸引される室内の空気の比較的大きな塵を除塵するエアフィルタ７と、エアフィルタ７を通過した室内の空気の比較的細かい塵を更に除塵する空気清浄フィルタ８とが設けられている。
【００２４】
室内熱交換器４は、３つの熱交換部４Ａ、４Ｂ、４Ｃに分割されている。そして、本空気調和装置が暖房運転されるときには、すべての熱交換部４Ａ、４Ｂ、４Ｃが凝縮器として機能する。また、本空気調和装置が、冷房運転、又は通常のドライ運転（冷房運転よりも冷房能力の低い弱冷房運転）されるときには、すべての熱交換部４Ａ、４Ｂ、４Ｃが蒸発器として機能する。尚、以下の説明において、冷房運転には、この通常のドライ運転も含むものとする。
【００２５】
２つの熱交換部４Ａ、４Ｂを蒸発器として機能させながら、残りの熱交換部４Ｃを再熱器として機能させると、冷却して除湿した空気を再加熱して室内に送風する本格ドライ運転が可能になる。以下の説明において、単にドライ運転といった場合は、この本格ドライ運転を示すものとする。
【００２６】
室内熱交換器４には、冷房運転、又はドライ運転において蒸発器として機能する熱交換部（例えば、熱交換部４Ｂの内部）に室内熱交温度センサ１０が設けられており、この室内熱交温度センサ１０により、冷房運転時、又はドライ運転時に蒸発器として機能する室内熱交換器４の熱交換部４Ｂの温度（以下、「室内コイル温度」という。）が検出される。また、この室内熱交換器４（例えば、熱交換部４Ｂ）の空気吸込側には吸い込み空気の温度を検出する室内温度センサ１１及び吸い込み空気の湿度を検出する室内湿度センサ１２が設けられている。
【００２７】
熱交換部４Ａ、４Ｂの下方にはドレンパン６Ａが設けられ、熱交換部４Ｃの下方にはドレンパン６Ｂが設けられている。これにより熱交換部４Ａ、４Ｂに生じた露は、ドレンパン６Ａに滴下され、熱交換部４Ｃに生じた露は、ドレンパン６Ｂに滴下される。これらドレンパン６Ａ、６Ｂのドレンは、図示しないドレン排水管を介して排水される。通常、室内熱交換器４の室内コイル温度が吸い込み空気の露点以下となるとき、室内熱交換器４に露付きが生じる。
【００２８】
ドレンパン６Ａの下方には冷風／温風の吹出口９が形成されている。そして、この吹出口９には上下風向変更羽根９Ａと、複数の左右風向変更羽根９Ｂとが設けられている。上下風向変更羽根９Ａが上下に揺動されることにより上下に吹出風向が変更され、複数の左右風向変更羽根９Ｂが連動して左右に揺動されることにより左右に吹出風向が変更される。
【００２９】
本実施形態では、冷房運転中、及びドライ運転中の吹出口９（上下風向変更羽根９Ａ、左右風向変更羽根９Ｂを含む）への露付き防止制御に特徴を有する。尚、図示は省略したが、この室内機１には制御装置が設けられている。この制御装置は、室内熱交温度センサ１０、室内温度センサ１１、室内湿度センサ１２等の検知結果を基に露付き防止制御等を行う。
【００３０】
図２〜図４は露付き防止制御のフローチャートである。この露付き防止制御は、室内熱交換器４の目標室内コイル温度を決定し、この目標室内コイル温度を基にゾーン（温度領域）を設け、室内熱交換器４の室内コイル温度の制御を行い、露付きを防止するものである。この図２及び図３は、露付き防止制御における目標室内コイル温度を決定するフローチャートであり、図４は、決定した目標室内コイル温度を基に室内コイル温度のゾーン制御を行うフローチャートである。
【００３１】
図２のフローチャートにおいて、まず、本空気調和装置がドライ運転中か否かが判断される（Ｓ１）。
【００３２】
ドライ運転中である場合、吸い込み空気の露点に基づいて、室内熱交換器４に露が付いても吹出口９に露が付き得ない室内熱交換器４の室内コイル温度が、目標室内コイル温度（以下、Dew-coilという。）として予め規定された所定演算式に基づいて演算される（Ｓ２）。
【００３３】
ここで、吹出口９に露が付き得ないとは、吹出口９に全く露が付かない場合のみに限定するものではなく、吹出口９に微量（吹き飛ばされたり、滴下したりしない程度の量）の露が付く場合も含まれているものとする。
【００３４】
この目標室内コイル温度Dew-coilを算出する所定演算式は、
Dew-coil＝（吸い込み空気の露点）−（ドライ運転時の露付き猶予温度）
である。吸い込み空気の露点は、吸い込み空気の温度と吸い込み空気の湿度とから求められる。室内熱交換器４の室内コイル温度が吸い込み空気の露点以下であっても、吹出口９に露が付き得ない室内熱交換器４の温度範囲があり、ドライ運転時の露付き猶予温度は、室内熱交換器４の室内コイル温度をこの温度範囲内にするための定数である。この露付き猶予温度は、例えば室内熱交換器４の室内コイル温度を、室内熱交換器４に露が付いても吹出口９に露が付き得ない最も低い温度となるように設定される。これによって、吹出口９に露が付くことなく効率よく除湿ができる。この露付き猶予温度は、例えば実験により求められる。
【００３５】
ドライ運転中でない場合、即ち、冷房運転である場合、吸い込み空気の露点に基づいて、室内熱交換器４に露が付いても吹出口９に露が付き得ない室内熱交換器４の室内コイル温度が、目標室内コイル温度Dew-coilとして予め規定された所定演算式に基づいて演算される（Ｓ３）。この目標室内コイル温度Dew-coilを算出する所定演算式は、
Dew-coil＝（吸い込み空気の露点）−（冷房運転時の露付き猶予温度）
である。冷房運転時の露付き猶予温度は、ドライ運転時の露付き猶予温度と同様に求められる。
【００３６】
ドライ運転時の露付き猶予温度は、冷房運転時の露付き猶予温度よりも大きく設定される。例えば、ドライ運転時の露付き猶予温度が８℃、冷房運転時の露付き猶予温度が４℃に設定される。これにより、ドライ運転時の目標室内コイル温度Dew-coilが冷房運転時よりも低いため、ドライ運転時において、より効率よく除湿ができる。
【００３７】
ステップＳ２又はステップＳ３で求めた目標室内コイル温度Dew-coilは、吸い込み空気の露点に対応して変化し、室内コイル温度がこの目標室内コイル温度Dew-coilを下回れば、吹出口９に露付きが発生する。従って、吸い込み空気の露点に基づいて目標室内コイル温度Dew-coilが演算されることから、吹出口９に露が付き得ない目標室内コイル温度Dew-coilをより正確に求めることができる。
【００３８】
次に、吹出口９に露が付きやすい条件であるか否かが判断され、吹出口９に露が付きやすい条件であるとき、ステップＳ２又はステップＳ３で算出した目標室内コイル温度Dew-coilが補正される場合について説明する。
【００３９】
まず、凍結制御中か否かが判断される（Ｓ４）。凍結制御中とは、例えば、凍結防止中、凍結マスク時間中、又は低温除湿中である場合を示している。凍結防止は、室内熱交換器４が凍結しないように、圧縮機の周波数を制御するものであり、この制御は、周波数上昇禁止或いはＨｚダウンで実行される。凍結マスク時間とは、例えば運転開始時のように、室内熱交換器４への凍結が起こり得ない時間帯のことをいう。低温除湿とは、ドライ運転中にあって、外気温度が低いときに、凍結防止制御を無視して強制的に圧縮機を運転させる制御である。
【００４０】
ステップＳ４で凍結制御中（即ち、凍結防止中、凍結マスク時間中及び低温除湿中）でなければ、室内の湿度が所定％以上であるか否かが判断される（Ｓ５）。この所定％は、吹出口９に露が付く可能性のある湿度で、例えば３０％に設定される。
【００４１】
室内の湿度が所定％（例えば３０％）以上であれば、左右風向変更羽根９Ｂが、左右にスイング中か、又は所定角度で固定されているか否かが判断される（Ｓ６）。図５に左右風向変更羽根９Ｂをスイングしたときの揺動範囲の一例を示す。図５中、ポジション▲１▼〜▲５▼は、左右風向変更羽根９Ｂの揺動範囲を示すものである。左右風向変更羽根９Ｂが左右にスイング中である場合、左右風向変更羽根９Ｂは、ポジション▲１▼〜▲５▼の範囲内で揺動し、固定される場合、ポジション▲１▼〜▲５▼の内、いずれか１つのポジションで固定される。
【００４２】
冷房運転時、又はドライ運転時、左右風向変更羽根９Ｂを大きくスイングさせて（例えば図５中のポジション▲１▼〜▲５▼）運転すると、例えば左右風向変更羽根９Ｂがポジション▲１▼又は▲５▼のとき、吹出口９に露が付くことがある。従って、所定角度は、送風ファン５による吹出風向に対して、吹出口９に露が付く可能性がある角度、例えば、ポジション▲１▼及び▲５▼に設定される。
【００４３】
左右風向変更羽根９Ｂがスイング中か、又は所定角度（ポジション▲１▼又は▲５▼）で固定されていれば、運転開始後、第一所定時間（例えば５分）経過したか否かが判断される（Ｓ７）。
【００４４】
ステップＳ７で第一所定時間（例えば５分）経過していれば、吹出口９に露の付きやすい条件であると判断され、ステップＳ２、又はステップＳ３で算出した目標室内コイル温度Dew-coilが補正され、目標室内コイル温度Dew-coilが決定される（Ｓ８）。この補正は、目標室内コイル温度Dew-coilを（例えば１℃）上げる補正である。そしてこの目標室内コイル温度Dew-coilを基に室内コイル温度のゾーン制御（図４）が行われる。
【００４５】
ステップＳ４で凍結制御中である場合（即ち、凍結防止中、凍結マスク中又は低温除湿中である場合）、又は、ステップＳ５で室内の湿度が所定％（例えば３０％）よりも低い場合、送風ファン５の回転数が所定回転数以下であるか否かが判断される（Ｓ９）。ここで送風ファン５による吹出風速は、送風ファン５の回転数に対応しており、この送風ファン５の回転数が、例えば、複数の回転数のステップに段階的に規定されることにより、吹出風速が複数の風速ステップ、例えば、強風、中風、弱風、微弱風のように４つの風速ステップに段階的に規定される。通常、風速が弱まれば、吹出口９に露が付く可能性は高くなる。従って、例えば、風速ステップが弱風以下の場合、弱風が吹出口９への露付きの可能性がある風速であるとすれば、送風ファン５の所定回転数は、この弱風の風速ステップに対応した回転数に設定される。即ち、所定回転数は露付きの発生の可能性がある回転数に設定される。
【００４６】
ステップＳ９で送風ファン５の回転数が吹出口９に露が付く可能性のある所定回転数（送風ファン５による風速が吹出口９に露が付く可能性のある所定風速、例えば弱風）以下であれば、ステップＳ６に移行する。
【００４７】
ステップＳ６又はＳ９が否定されれば、気流制御中であるか否かが判断される（Ｓ１０）。この気流制御は、上下風向変更羽根９Ａ及び左右風向変更羽根９Ｂを所定の組合せで揺動させて気流の制御を行うものであり、室温が設定温度に達した後に行われる。このステップＳ１０の判断は、上下風向変更羽根９Ａや左右風向変更羽根９Ｂの揺動角度によっては、吹出口９に露が付く可能性があるためである。つまり、この吹出口９への露付きは、送風ファン５による吹出風向が、風向変更羽根９Ａ及び９Ｂによって同時に変更されると、吹出口９に露が付く可能性が、上下風向変更羽根９Ａのみ、又は左右風向変更羽根９Ｂのみで風向が変更されたときよりも高くなる。即ち、吹出口９に露が付きやすくなる。気流制御中であれば、ステップＳ７に移行する。
【００４８】
凍結制御中でないこと（Ｓ４）、室内の湿度が吹出口９に露が付く可能性のある所定％（例えば３０％）以上であること（Ｓ５）、左右風向変更羽根９Ｂが、スイング中か又は吹出口９に露が付く可能性がある所定角度（例えば図５中ポジション▲１▼又は▲５▼）で固定されていること（Ｓ６）、且つ運転開始後、第一所定時間（例えば５分）経過していること（Ｓ７）を条件とする場合、送風ファン５の回転数が吹出口９に露が付く可能性のある所定回転数（送風ファン５による吹出風速が吹出口９に露が付く可能性がある所定風速、例えば弱風）以下であること（Ｓ９）、左右風向変更羽根９Ｂが、スイング中か又は所定角度（例えば図５中ポジション▲１▼又は▲５▼）で固定されていること（Ｓ６）、且つ運転開始後、第一所定時間（例えば５分）経過していること（Ｓ７）を条件とする場合、又は気流制御中であること（Ｓ１０）、且つ運転開始後、第一所定時間（例えば５分）経過していること（Ｓ７）を条件とする場合は、吹出口９に露が付きやすい条件であり、吹出口９に露が付きやすい条件であると判断された場合は、ステップＳ２又はステップＳ３で求めた目標室内コイル温度Dew-coilをステップＳ８で例えば１℃上げる補正が行われ、目標室内コイル温度Dew-coilが決定される。これによって、吹出口９に露が付きやすい条件である場合は、目標室内コイル温度Dew-coilが、補正される前よりも高い温度に決定されるので、吹出口９に露が付きやすい条件であっても、吹出口９の露付きが防止される。
【００４９】
次に、ステップＳ２又はステップＳ３で求めた目標室内コイル温度Dew-coilが補正されない場合を図３のフローチャートを参照して説明する。
【００５０】
ステップＳ７（図２）で運転開始後、第一所定時間（例えば５分）経過していない場合、又はステップＳ１０（図２）で気流制御中でない場合、ステップＳ４、Ｓ５（図２）と同様のステップＳ１１、Ｓ１２が行われる。ステップＳ１２で湿度が所定％（例えば３０％）以上であれば、運転開始後、第一所定時間（例えば５分）よりも長い第二所定時間（例えば１時間）経過したか否かが判断される（Ｓ１３）。ここで、ステップＳ１３で第一所定時間（例えば５分）よりも長い第二所定時間（例えば１時間）としたのは、第二所定時間（例えば１時間）の運転で吹出口９に露が付く可能性があるためである。また、ステップＳ７、Ｓ１６で第一所定時間（例えば５分）としたのは、第一所定時間（例えば５分）の運転で吹出口９に露が付く可能性があるためである。即ち、第一所定時間程度の運転で吹出口９に露が付く可能性がある場合は、ステップＳ７又はステップＳ１６で第一所定時間経過したか否かが判断され、第一所定時間よりも長い第二所定時間程度の運転で吹出口９に露が付く可能性がある場合は、ステップＳ１３で第二所定時間経過したか否かが判断される。これにより、効率的に吹出口９付近への露付きが防止される。
【００５１】
ステップＳ１３で第二所定時間（例えば１時間）経過したと判断されれば、目標室内コイル温度Dew-coilは、ステップＳ２又はステップＳ３（図２）で求めた目標室内コイル温度Dew-coilに決定される（Ｓ１４）。そしてこの目標室内コイル温度Dew-coilを基に室内コイル温度のゾーン制御（図４）が行われる。
【００５２】
ステップＳ１１で凍結制御中であるか、ステップＳ１２で湿度が所定％（例えば３０％）よりも低いか、又はステップＳ１３で運転開始後、第二所定時間（例えば１時間）経過していなければ、ステップＳ９（図２）と同様に送風ファン５の回転数が吹出口９に露が付く可能性のある所定回転数（送風ファン５による吹出風速が吹出口９に露が付く可能性のある所定風速、例えば弱風）以下であるか否かが判断される（Ｓ１５）。ステップＳ１５で送風ファン５の回転数が吹出口９に露が付く可能性のある所定回転数（送風ファン５による吹出風速が吹出口９に露が付く可能性のある所定風速、例えば弱風）以下であれば、ステップＳ７（図２）と同様に、運転開始後、第一所定時間（例えば５分）経過したか否かが判断される（Ｓ１６）。ステップＳ１６で第一所定時間（例えば５分）経過していれば、ステップＳ１４に移行してステップＳ２又はステップＳ３（図２）で求めた目標室内コイル温度Dew-coilに決定される。
【００５３】
つまり、凍結制御中でないこと（Ｓ１１）、室内の湿度が吹出口９に露が付く可能性のある所定％（例えば３０％）以上であること（Ｓ１２）、且つ運転開始後、第二所定時間（例えば１時間）経過していること（Ｓ１３）を条件とする場合、又は送風ファン５の回転数が吹出口９に露が付く可能性のある所定回転数（送風ファン５による吹出風速が吹出口９に露が付く可能性のある所定風速、例えば弱風）以下であること（Ｓ１５）、且つ運転開始後、第一所定時間（例えば５分）経過していること（Ｓ１６）を条件とする場合は、吹出口９に露が付く条件ではあるが、目標室内コイル温度Dew-coilを補正せずとも吹出口９の露付きが防止される。
【００５４】
即ち、ステップＳ４の判断で否定され、ステップＳ５〜Ｓ７の判断で肯定される場合、ステップＳ９、Ｓ６、Ｓ７の判断で肯定される場合、又はステップＳ１０、Ｓ７の判断で肯定される場合は、ステップＳ１１の判断で否定され、ステップＳ１２、Ｓ１３の判断で肯定される場合、又はステップＳ１５、Ｓ１６の判断で肯定される場合よりも吹出口９に露の付きやすい条件であるので、目標室内コイル温度Dew-coilを補正することにより、吹出口９の露付きが防止される。
【００５５】
ステップＳ１５で送風ファン５の回転数が吹出口９に露が付く可能性のある所定回転数（送風ファン５による吹出風速が吹出口９に露が付く可能性のある所定風速、例えば弱風）よりも高い場合、又はステップＳ１６で運転開始後、第一所定時間（例えば５分）を経過していない場合は、露付き防止制御におけるゾーン制御は行われず（Ｓ１７）、スタート（図２）に戻って判断が繰り返される。
【００５６】
ここで、例えば、図示しないリモートコントローラ等による人為的操作で設定の変更（例えば運転の切り替えや、室温設定の切り替え）が行われたときは、ステップＳ７、ステップＳ１３、又はステップＳ１６では、その設定が変更された時から第一所定時間（例えば５分）又は第二所定時間（例えば１時間）経過したか否かが判断される。これによって、設定が変更されても、その設定に対応して露付き防止制御が行われるため、吹出口９への露付きが防止される。
【００５７】
図６は、本露付き防止制御におけるゾーン制御のモデル図であり、図４のフローチャートの説明において、この図６を参照して説明する。
【００５８】
まず、目標室内コイル温度Dew-coilを基に、目標室内コイル温度Dew-coilよりも０．５℃低い第一温度と、目標室内コイル温度Dew-coilよりも０．５℃高い第二温度とが設定される。
【００５９】
ステップＳ８（図２）又はステップＳ１４（図３）で、目標室内コイル温度Dew-coilが決定されると、室内コイル温度がこの目標室内コイル温度Dew-coilを下回らないように本制御が実行される。本制御では、まず、室内コイル温度が目標室内コイル温度Dew-coilよりも低い第一温度と比較される（Ｓ１８）。室内コイル温度が第一温度よりも低ければ、図６に示すように、直ちにＨｚダウン制御が実行される（Ｓ１９）。このＨｚダウン制御は、モータの駆動周波数を、例えば、３０秒に１Ｈｚずつダウンさせる制御である。ただし、下限周波数が設けられる。ステップＳ１９の後、図２のスタートに戻って判断が繰り返される。
【００６０】
ステップＳ１８で室内コイル温度が第一温度よりも高ければ、室内コイル温度が目標室内コイル温度Dew-coilと比較される（Ｓ２０）。ステップＳ２０で室内コイル温度が目標室内コイル温度Dew-coilよりも低い場合、図６に示すように、モータの駆動周波数の上昇が禁止される（Ｓ２１）。この場合、図示を省略したリモートコントローラの設定等により、モータの駆動周波数上昇要求が出力されたとしても、周波数の上昇は禁止される。このステップＳ２１の後、図２のスタートに戻って判断が繰り返される。
【００６１】
ステップＳ２０で室内コイル温度が目標室内コイル温度Dew-coilよりも高い場合、室内コイル温度が目標室内コイル温度Dew-coilよりも高い第二温度と比較される（Ｓ２２）。
【００６２】
室内コイル温度がこの第二温度よりも低い場合には、図６に示す領域Ａ、Ｂのいずれの領域にあるかによって制御が異なる。領域Ｂ（温度上昇中）にある場合、前回の判定ではモータの駆動周波数の上昇禁止のゾーンにあり、領域Ａ（温度下降中）にある場合、前回の判定ではモータの駆動周波数の上昇禁止のゾーンにないはずである。
【００６３】
ステップＳ２２で第二温度よりも低い場合、前回の判定がモータの駆動周波数上昇禁止のゾーンにあったか否かが判断され（Ｓ２３）、前回の判定がモータの駆動周波数上昇禁止であれば、今回領域Ｂにあるから、モータの駆動周波数の上昇が禁止され（Ｓ２１）、前回の判定がモータの駆動周波数上昇禁止でなければ、今回領域Ａにあるから、Ｈｚダウン並びにモータの駆動周波数の上昇禁止が解除される（Ｓ２４）。このステップＳ２４の後、図２のスタートに戻って判断が繰り返される。
【００６４】
上記の露付き防止制御において、送風ファン５の回転数が吹出口９に露が付く可能性のある所定回転数（送風ファン５による吹出風速が吹出口９に露が付く可能性のある所定風速、例えば弱風）以下の場合、圧縮機のモータの最大駆動周波数が通常の運転時よりも低い値に制限される。例えば、吸い込み空気の湿度、上下風向変更羽根９Ａや左右風向変更羽根９Ｂの揺動角度、運転時間等の条件によっては、吹出口９に露が付く可能性があるが、送風ファン５の回転数が低い場合（送風ファン５による吹出風速が、例えば弱風以下の場合）は、他の条件よりも露の付く可能性が高い。そこで、圧縮機のモータの最大駆動周波数を通常の運転よりも低い値に制限することで、吹出口９への露付きの可能性を低くすることができる。
【００６５】
通常の冷房運転時の圧縮機のモータの最大駆動周波数は、略９０Ｈｚであり、通常のドライ運転時の圧縮機のモータの最大駆動周波数は、略４０Ｈｚである。また、これら運転の圧縮機のモータの定格周波数は、略３０〜４０Ｈｚ程度である。
【００６６】
圧縮機のモータの最大駆動周波数は、冷房運転時は圧縮機のモータの最大駆動周波数（略９０Ｈｚ）よりも低い値、例えば、定格周波数（略３０〜４０Ｈｚ）の６５％に制限され、ドライ運転時は圧縮機のモータの最大駆動周波数（略４０Ｈｚ）よりも低い値、例えば、圧縮機のモータの最大駆動周波数（略４０Ｈｚ）の６５％に制限される。これによって、圧縮機のモータの最大駆動周波数が通常の運転よりも低い値に制限され、圧縮機の能力が制限されて、吹出口９への露付きが防止される。
【００６７】
従って、上記の露付き防止制御において、送風ファン５の回転数が吹出口９に露が付く可能性のある所定回転数（送風ファン５による風速が吹出口９に露が付く可能性のある所定風速、例えば弱風）以下の場合は、圧縮機のモータの最大駆動周波数が通常の運転時よりも低い値に制限された上で行われる。
【００６８】
次に、上記の露付き防止制御において、室内湿度センサ１２による室内湿度の検知結果が異常である否かが判断され、異常であると判断された場合、圧縮機のモータの駆動周波数が通常の運転よりも低い値に制限される。室内湿度センサ１２が故障した場合は、高い値（例えば湿度８０％以上）を示す傾向があり、このような場合を想定して、室内の湿度が高い値（例えば８０％以上）が長時間（例えば４時間以上）続いた場合、室内湿度センサ１２の室内湿度の検知結果が異常である判断され、モータの駆動周波数が通常の運転よりも低い値に制限される。例えば、冷房運転時は圧縮機のモータの最大駆動周波数（略９０Ｈｚ）よりも低い値、例えば定格周波数（略３０〜４０Ｈｚ）に制限され、ドライ運転時は圧縮機のモータの最大駆動周波数（略４０Ｈｚ）よりも低い値、例えば２０Ｈｚに制限される。この場合、上記の露付き防止制御は継続される。これによって、室内湿度センサ１２の故障等により室内の湿度が正確に検知されない場合においても、吹出口９への露付きが防止される。
【００６９】
尚、この室内湿度センサ１２が異常であることを、図示しない表示ランプによる点灯によって表示するように構成してもよく、室内湿度センサ１２の故障が把握できる。
【００７０】
本実施の形態では、吸い込み空気の露点に対応した目標室内コイル温度Dew-coilが演算され、室内コイル温度が目標室内コイル温度Dew-coilを下回らないようにモータの駆動周波数が制御されるため、快適な室温維持が図られるとともに、吹出口９への露付きが防止される。
【００７１】
尚、本実施の形態において、ステップＳ２又はステップＳ３で目標室内コイル温度Dew-coilが吸い込み空気の露点に基づいて演算される場合を説明したが、これに限るものではなく、ステップＳ２又はステップＳ３で目標室内コイル温度Dew-coilが室温に基づいて演算される場合であってもよい。この場合、目標室内コイル温度Dew-coilは、例えば実験により求められる演算式で求められる。
【００７２】
また、本実施の形態において、ステップＳ４及びステップＳ１１で凍結制御中とは、凍結防止中、凍結マスク時間中又は低温除湿中の場合である説明したが、これに限るものではない。例えば、凍結防止、凍結マスク時間又は低温除湿の内、いずれかが省略される構成である場合は、ステップＳ４及びステップＳ１１の判断においても省略される。
【００７３】
また、本実施の形態において、ステップＳ７、Ｓ１６で第一所定時間（例えば５分）経過したか否かが判断され、ステップＳ１３で第二所定時間（例えば１時間）経過したか否かが判断される場合を説明したが、これに限るものではなく、例えば、ステップＳ１６において、第一所定時間とは異なる第三所定時間（第二所定時間よりも短い時間）経過したか否かが判断される場合であってもよいし、また、これらステップＳ７、Ｓ１３及びＳ１６の判断が省略される場合であってもよい。
【００７４】
また、本実施の形態において、ステップＳ６で左右風向変更羽根９Ｂが、左右にスイング中か、又は吹出口９に露が付く可能性がある所定角度で固定されているか否かが判断される場合を説明したが、これに限るものではなく、ステップ６で上下風向変更羽根９Ａが、上下にスイング中か、又は吹出口９に露が付く可能性がある所定角度で固定されているか否かが判断される場合であってもよい。上下風向変更羽根９Ａが上下にスイング中であるか否かの判断は、上下風向変更羽根９Ａの揺動角度によっては吹出口９に露が付く可能性があるためである。
【００７５】
以上、一実施形態に基づいて本発明を説明したが、本発明は、これに限定されるものでないことは明らかである。
【００７６】
【発明の効果】
本発明では、ドライ運転中、又は冷房運転中の吹出口に露が付き得ない室内熱交換器の目標温度が演算され、室内熱交換器の温度が室内熱交換器の目標温度を下回らないように圧縮機のモータの駆動周波数が制御されるため、快適な室温維持が図られるとともに、吹出口への露付きを防止することができる。
【図面の簡単な説明】
【図１】本発明による空気調和装置の一例を示す断面図である。
【図２】露付き防止制御における目標コイル温度を決定するフローチャートである。
【図３】露付き防止制御における目標コイル温度を決定するフローチャートである。
【図４】露付き防止制御におけるゾーン制御のフローチャートである。
【図５】左右風向変更羽根の揺動範囲の一例を示す図である。
【図６】露付き防止制御におけるゾーン制御のモデル図である。
【符号の説明】
１  室内機
２  ケース
２Ａ  前ケース部
２Ｂ  吸込パネル
２Ｃ  後ケース部
３  吸気口
４  室内熱交換器
４Ａ、４Ｂ、４Ｃ  熱交換部
５  送風ファン
９  吹出口
９Ａ  上下風向変更羽根
９Ｂ  左右風向変更羽根
１０  室内熱交温度センサ
１１  室内温度センサ
１２  室内湿度センサ
【図１】
0003754343.tif 000002
【図２】
0003754343.tif 000003
【図３】
0003754343.tif 000004
【図４】
0003754343.tif 000005
【図５】
0003754343.tif 000006
【図６】
0003754343.tif 000007